(57)【特許請求の範囲】
【請求項１】
刃ヘッド部分もしくはその近傍に配設されて肌との接触で肌を伸ばす肌伸ばし部材を備えている電気かみそりにおいて、肌との接触部が可撓性のある弾性部で形成された肌伸ばし部材をフロート自在な刃ヘッドに取り付けて刃ヘッドと共にフロートするものとして、肌伸ばし部材を肌に向けてばね付勢されたフロート自在なものとしていることを特徴とする電気かみそり。
【請求項２】
肌伸ばし部材はフロート自在な刃ヘッドに固定されていることを特徴とする請求項１記載の電気かみそり。
【請求項３】
肌伸ばし部材はフロート自在な刃ヘッドに対して更にフロート自在に取りつけられていることを特徴とする請求項１記載の電気かみそり。
【請求項４】
肌伸ばし部材は、フロート自在となっている刃ヘッドのフロート力よりも小なるフロート力でフロート自在となっていることを特徴とする請求項３記載の電気かみそり。
【請求項５】
肌伸ばし部材は、刃ヘッドの構成部材に一体に設けられたフロートばねで付勢されていることを特徴とする請求項３記載の電気かみそり。
【発明の詳細な説明】
【０００１】
【発明の属する技術分野】
本発明は電気かみそり、特に肌を引き伸ばして髭を起こす肌伸ばし部材を備えている電気かみそりに関するものである。
【０００２】
【従来の技術】
電気かみそりによって髭を剃るにあたり手指で肌を引き伸ばしつつ髭を剃る操作にならって、電気かみそりに肌に接する肌伸ばし部材を設けることが実開昭６３−１２１０７２号公報に示されている。また肌伸ばし部材を電気かみそりに設けるにあたり、肌に押し当てればばね付勢に抗して肌伸ばし部材が沈むようにしたもの、つまり肌伸ばし部材をフロート自在としたものが実開平５−５６０６３号公報に示されている。
【０００３】
【発明が解決しようとする課題】
このような肌伸ばし部材は、肌における電気かみそりで髭を剃ろうとしている部位の近傍を押圧することで肌を伸ばして髭を起こすものであるが、電気かみそりに肌伸ばし部材が固定的に配設されたものにおいては、電気かみそりを肌に沿って動かしつつ髭を剃る時、肌伸ばし部材の肌への接触圧を一定に保つことがきわめて困難であり、しかも肌伸ばし部材が肌に引っ掛かってスムーズに髭を剃ることができないという状態も招く。
【０００４】
肌伸ばし部材をフロート自在としたものにおいては、肌への押し当て力の変化に対して肌伸ばし部材と肌との接触圧をほぼ一定に保つようにフロートのためのばねのばね力が作用することから上記問題は少なくなっているが、依然として次の問題を有している。
すなわち上記公報に示されたフロート自在な肌伸ばし部材は肌との接触部が直線状で且つ撓むことがない部材で形成されていることから、凹凸のある肌に対して、肌伸ばし部材における肌との接触部の全長のうちの一部だけが所定の接触圧で接してしまうものであり、肌の微小凹凸に追従できず、また一部でしか肌に接しないことから剃り味も肌当たりも悪かった。
【０００５】
本発明はこのような点に鑑み為されたものであり、その目的とするところは肌のどの部位においても肌伸ばし部材が肌に確実に密着するために、効率が良く且つ深剃りができる電気かみそりを提供するにある。
【０００６】
【課題を解決するための手段】
しかして本発明は、刃ヘッド部分もしくはその近傍に配設されて肌との接触で肌を伸ばす肌伸ばし部材を備えている電気かみそりにおいて、肌との接触部が可撓性のある弾性部で形成された肌伸ばし部材をフロート自在な刃ヘッドに取り付けて刃ヘッドと共にフロートするものとして、肌に向けてばね付勢されたフロート自在なものとしていることに特徴を有している。
【０００７】
本発明によれば、肌伸ばし部材のフロートによる肌との接触圧制御と、肌伸ばし部材の肌との接触部が可撓性のある弾性部で形成されていることとによって、肌伸ばし部材の肌との確実な接触を得ることができるものであり、また肌伸ばし部材が刃ヘッドと共にフロートすることで、肌伸ばし部材と刃ヘッドとの位置関係が適切に保たれるものである。
【０００９】
肌伸ばし部材をフロート自在な刃ヘッドに取り付けるにあたっては、肌伸ばし部材をフロート自在な刃ヘッドに固定していても、フロート自在な刃ヘッドに対して更にフロート自在に取りつけていてもよい。
【００１０】
そして肌伸ばし部材を刃ヘッドに対してフロート自在に取り付けたものでは、刃ヘッドのフロート力よりも小なるフロート力で肌伸ばし部材がフロートするものとしておくと、肌当たりを良くすることができる。
【００１１】
肌伸ばし部材を刃ヘッドに取り付ける場合、刃ヘッドの構成部材に一体に設けたフロートばねで付勢すれば部品数の削減を図ることができる。
【００１４】
【発明の実施の形態】
図２に示した電気かみそりは、本体５の上端に一対の刃ヘッド１，１と、両刃ヘッド１間に位置する刃ヘッド２とを平行並列に配設したもので、これら３個の刃ヘッド１，１，２は、モータ４によって同時に駆動される。図中６はトリマーブロック、７はスイッチ部である。
【００１５】
上記刃ヘッド１，２のうち、刃ヘッド１，１は、図３に示すように、金属薄板から形成されるとともに多数の刃孔が形成されている外刃１０と、この外刃１０を保持している内カセット１１と、外刃１０内面に摺接する図５に示した内刃１２とからなるもので、内カセット１１はその両外側面に外刃取付のための複数個のヒートシール用突起１３を、両端面にはＥ字状をなした弾性アーム１６を一体に備えている。
【００１６】
刃ヘッド２は、上面壁と両側壁とからなる断面逆Ｕ字形であって上面壁に多数のスリットを備えた固定刃２０と、固定刃２０の長手方向両端に夫々固定される一対のプレート２１，２１と、固定刃２０の上面壁の内面に摺接する可動刃２２と、可動刃２２に固着された駆動プレート２３とからなるもので、プレート２１の下片の上面と、駆動プレート２３の両端下面との間には、夫々押し上げばね２４，２４が配設されている。
【００１７】
これら刃ヘッド１，１，２は、図４に示す外カセット３と、この外カセット３が着脱自在となっている外刃フレーム５６とを介して本体５の上端部に取り付けられる。外カセット３は、合成樹脂の成形によって矩形枠状に形成されたもので、その長手方向の両端面の両側には、上記刃ヘッド１における内カセット１１の弾性アーム１６先端の係合突起を受ける係合部３１，３１を夫々備え、両端面の中央部にはＥ字形の弾性アーム３２を夫々備えており、各弾性アーム３２の先端部には上記刃ヘッド２におけるプレート２１の端面と係合する係合突起３３を備えている。また外カセット３はその両端外面に、飾り釦３９が付設されたフック部３６，３６を備えている。これらフック部３６，３６は、外カセット３を外刃フレーム５６に着脱自在に取り付けるためのものである。
【００１８】
上記のように形成された外カセット３に対し、刃ヘッド１における内カセット１１は、外カセット３の下方開口から外カセット３内に納められて、上記係合部３１によって取り付けられる。また一対の刃ヘッド１，１間に配される刃ヘッド２は、上記弾性アーム３２の係合突起３３との係合によって外カセット３に取り付けられる。
【００１９】
外カセット３には、更に一対の肌伸ばし部材８，８が取り付けられる。この肌伸ばし部材８は、平板状で且つ上端面から細い複数条のリブ８０を突出させたもので、各リブ８０は肌伸ばし部材８の長手方向と平行に形成されており、外カセット３に対しては上下にスライド自在となるように保持されるとともに、内カセット１１から突設されたばね受け突起１４との間に配されたフロートばね８９によって上方に向けて付勢されている。また、肌伸ばし部材８の長手方向中央における下縁には、内カセット１１から突設された凸部１８が上下にスライド自在に嵌まり込むガイド溝８８が設けられている。外カセット３内面に設けられたガイド溝３８とも上下にスライド自在に係合する凸部１８とガイド溝８８とのスライド係合により、肌伸ばし部材８の上下動にがたつきが生じないようにされているわけである。更に内カセット１１から肌伸ばし部材８側に向けて突設されている突起１７は、肌伸ばし部材８が外刃１０に触れて外刃１０を変形させてしまうことがないように、外刃１０と肌伸ばし部材８との間隔を保つものである。
【００２０】
ここにおいて、肌伸ばし部材８は、その下部が合成樹脂や金属等の摩擦係数が小さい部材からなる剛性部８ａとして、上部がゴムのような弾性を有する材質からなる弾性材部８ｂとして構成されており、各リブ８０は摩擦係数も大である弾性材部８ｂに一体に形成されて、弾性を有するものとなっている。肌伸ばし機能を得るためには、所要の摩擦係数を有するもので肌伸ばし部材８を形成しなくてはならないが、外カセット３によって上下スライド自在に支持される部分は摩擦係数が小さい剛性部８ａとしているために、肌伸ばし部材８のスムーズな上下動が得られるようにしているわけである。
【００２１】
一方、本体５側内に配設されたモータ４の出力軸には、偏心軸と、この偏心軸の回転を往復動に変換する一対の駆動子４１，４２とが連結され、本体５の上面に上部が突出する駆動子４１，４２には、図５に示すように、刃ヘッド１，１における各内刃１２，１２が連結される。この時、駆動子４１，４２と内刃１２，１２との間には、図１に示すように内刃１２を上方へと付勢する押し上げばね１９，１９が配設される。また、一方の駆動子４１には、副駆動子４３が取り付けられる。この副駆動子４３は、刃ヘッド２における駆動プレート２３と係合し、駆動子４１の動きを駆動プレート２３に伝達する。
【００２２】
しかして、２種３個の刃ヘッド１，２，１が平行並列に並んでいるとともに、刃ヘッド１，１の外側に肌伸ばし部材８，８が夫々配されているこの往復式電気かみそりにおいて、モータ４を駆動すれば、モータ４の回転が駆動子４１，４２によって往復動に変換され、この往復動で刃ヘッド１，１の内刃１２，１２が往復駆動されるとともに、副駆動子４３を介して刃ヘッド２の可動刃２２も往復駆動されるものであり、また肌にこれら刃ヘッド１，２，１を押し当てた時、刃ヘッド１はその内カセット１１における弾性アーム１６が撓むことでフロートし、刃ヘッド２は外カセット３における弾性アーム３２が撓むことでフロートする。更に各肌伸ばし部材８は刃ヘッド１と共にフロートするだけでなく、内カセット１１との間に配されたフロートばね８９が撓むことによってもフロートする。
【００２３】
肌伸ばし部材８は前述のように刃ヘッド１における内カセット１１との間にフロートばね８９が配されているわけであるが、肌に刃ヘッド１及び肌伸ばし部材８を押し当てたならば、まず肌伸ばし部材８が沈むように、肌伸ばし部材８のフロート力、つまりフロートばね８９のばね定数を、刃ヘッド１のフロート力、つまり内刃１２を押し上げている押し上げばね１９と弾性アーム１６の合力のばね定数よりも小さくしてある。ちなみに刃ヘッド２のフロート力も刃ヘッド１のフロート力よりも小さくしてある。
【００２４】
従って、この往復式電気かみそりにおける刃ヘッド１，２，１を肌に押し当てて髭を剃る時、刃ヘッド１，１の近傍に位置する肌伸ばし部材８，８も同時に肌に接触するとともに、肌伸ばし部材８と肌との接触圧は、フロートばね８９のばね力によって適切に設定されるものであり、そしてこのように肌に接触する肌伸ばし部材８は、肌を押圧することによって肌を引き伸ばして髭を起こし、刃ヘッド１，２への髭の導入効率を高める。
【００２５】
また、髭剃りに際しては、刃ヘッド１，２及び肌伸ばし部材８の長手方向と直交する方向に電気かみそりを動かすわけであるが、肌伸ばし部材８における肌との接触部は、細くて撓みやすい複数条のリブ８０で構成されているために、肌伸ばし部材８はその長手方向全長にわたって確実に肌に接触するものであり、フロート自在となっていることもあって、肌の引き伸ばしが確実になされるものである。特に複数条のリブ８０のうち、刃ヘッド１に最も近い位置にあるリブ８０と刃ヘッド１との図１に示す間隔ａは、肌伸ばし部材８の沈み込みと、電気かみそりを動かす方向に応じたリブ８０の刃ヘッド１側への撓みとにより、図７に示すように、より短い間隔ｂとなるものであり、肌を押圧することによる肌の引き伸ばしに伴って起こされた髭は、起こされた状態のまま刃ヘッド１に導入されることが確実になされるものとなっている。
【００２６】
上記の例では肌伸ばし部材８を付勢するフロートばね８９を刃ヘッド１の内カセット１１で受けて、刃ヘッド１のフロート時に肌伸ばし部材８も同時に動くようにしているが、図８に示すように、フロートばね８９を外カセット３で受けるものとし、刃ヘッド１から完全に独立した状態で肌伸ばし部材８がフロートするようにしてもよい。この場合においても肌伸ばし部材８のフロート力を刃ヘッド１のフロート力よりも小さくしておく。
【００２７】
図９あるいは図１０に刃ヘッド１にフロートばね８９を介して肌伸ばし部材８を受ける場合の他例を示す。ここでは薄肉弾性片で構成されるフロートばね８９を内カセット１１に一体に形成して、このフロートばね８９を肌伸ばし部材８に連結している。独立したフロートばね８９が不要となるために、部品数の削減と組立性の向上とを得ることができる。この時の肌伸ばし部材８は、エラストマー樹脂による一体成形物を好適に用いることができる。
【００２８】
図１１及び図１２に示す例は、内カセット１１から突設したボス１５を肌伸ばし部材８に設けた係合孔８５にはめ込むことで、内カセット１１、つまり刃ヘッド１と肌伸ばし部材８とを一体化している。この場合、肌伸ばし部材８は刃ヘッド１と共にフロートし、刃ヘッド１に対して更にフロートすることはない。図１３に示すように、肌伸ばし部材８を外刃１０に固着することで内カセット１１と一体化して、刃ヘッド１と肌伸ばし部材８との位置関係が変化しないようにしてもよい。
【００２９】
また、内カセット１１に肌伸ばし部材８を固定する場合にも、その内カセット１１への固定部分とリブ８０が設けられた上端部との間に図１４あるいは図１５に示すような屈曲辺や中空部からなるばね弾性部８ｃ、８ｄを一体に設けておくことで、これらばね弾性部８ｃ、８ｄによって刃ヘッド１に対しても肌伸ばし部材８がフロートするように構成することができる。
【００３０】
図１６に示す例は、一対の刃ヘッド１，１間に肌伸ばし部材８を配置するとともに、肌伸ばし部材８のフロートのためのフロートばね８９を一方の刃ヘッド１の内カセット１１から突設したばね受け突起１４で受けている。この場合の肌伸ばし部材８は、両側に位置する刃ヘッド１，１に対して、同等の肌の引き伸ばし効果を発揮するように、上端の複数条のリブ８０を対称に配置している。外カセット３でフロートばね８９を受けることで、肌伸ばし部材８が刃ヘッド１から完全に独立した状態した状態でフロートするようにしてもよい。
【００３２】
次に、肌伸ばし部材８における複数条のリブ８０の配置や断面形状について説明する。髭を剃るにあたっては、前述のように電気かみそりを肌に添って動かすわけであり、また動かす方向は肌伸ばし部材８のリブ８０と直交する方向となっているわけであるが、電気かみそりを図１７においてＢ方向に動かす（肌が肌伸ばし部材８に触れた後、刃ヘッド１に触れる）時、刃ヘッド１の片側に配した肌伸ばし部材８は、刃ヘッド１への髭導入効率を高めるべく肌の引き伸ばしを行い、Ａ方向に動かす（肌が刃ヘッド１に触れた後、肌伸ばし部材８に触れる）時は、肌伸ばし部材８は髭の切断に寄与しないために、電気かみそりを動かすことについての摩擦抵抗を軽減するようになることが好ましい。
【００３３】
このために、図１７に示す例においては、複数条の細いリブ８０が立設されている肌伸ばし部材８の上端面を角度θだけ傾けて、リブ８０も角度θの傾きを持つものとなるようにしてある。Ｂ方向に電気かみそりを動かす時、リブ８０と肌との間に働く摩擦力が大きく、肌の引き伸ばしを行うが、電気かみそりをＡ方向に動かす時のリブ８０と肌との間に働く摩擦力が小さくなるようにしているわけである。この時の上記角度θは、図３０に示すように、その値が大きくなるほど肌を伸ばす力が小さくなると同時に肌当たりが良くなることから、肌を伸ばす力と肌当たりとの両方を満足する範囲、たとえば１０°〜４５°としておくことが好ましい。
【００３４】
上記角度θの傾きをリブ８０に持たせることに代えて、図１８に示すように、リブ８０の断面形状を刃ヘッド１側の面が傾斜面となる鋸刃状としたり、図１９に示すように、刃ヘッド１側のリブ８０の高さａ2 を他の側のリブ８０の高さａ1 より高くしたり、図２０に示すように、リブ８０における刃ヘッド１側とは逆の面に凹凸を形成して図中右方側へ倒れやすくなるようにしたりしてもよい。リブ８０の刃ヘッド１側の面にフッ素樹脂による表面コーティングを施してこの面の滑りを良くして摩擦力を小としてもよい。逆の面に摩擦係数を大きくする材質によるコーティングを施してもよい。
【００３５】
また、図２１に示すように、肌伸ばし部材８におけるリブ８０が立設される上端面を平面部と傾斜面部とで構成したり、図２２に示すように、刃ヘッド１側が高くなっている円弧面としてもよい。なお、図１〜図１１に示した例は、この図２２に示す場合に相当する。また、一対の刃ヘッド１，１間に肌伸ばし部材８を配置している図１６に示した例は、図２２に示す形状のものを、両側の刃ヘッド１，１に対して同等となるようにしたものである。
【００３６】
なお、リブ８０の根元部分は図２３あるいは図２４に示すように曲面としたり角度が漸次変化するものとしておくことで、リブ８０間に堆積する髭屑の掃除性を向上させることができる。
肌伸ばし部材８における肌との接触部は、細い複数条のリブ８０で構成するほか、図２５に示すように、中空部を内蔵する薄肉部８１で構成してもよい。この時、薄肉部８１の上面に傾斜を持たせておけば、あるいは上面に鱗状の微小凹凸を形成しておけば、このものにおいても電気かみそりを動かす方向によって異なる摩擦力を肌との間で発揮させることができる。
【００３７】
フロートばね８９として、図２６に示すばね特性、つまり途中からばね定数が大きくなる特性を持つものを用いてもよい。このようなばね特性は、２個のフロートばねを１組として用いるとともに、一方のフロートばねを他方のフロートばねより短くして、肌伸ばし部材８がある程度沈んだ時に一方のフロートばねのばね力も働き始めるようにすることで簡単に得ることができる。
【００３８】
なお、以上の各例では往復式の電気かみそりを示したが、これに限るものではなく、どのようなタイプのものであってもよい。回転式電気かみそりに適用した場合の一例を図２８及び図２９に示す。図中２５は外刃、２６は回転駆動される内刃であり、２７は外刃枠、２８は内刃支持枠であって、これらはフロートばね２９によってフロート自在となっている。図中Ｆがフロート量である。そして外刃枠２７の内周に添ってフロート用のばね弾性部８ｄを備えたリング状の肌伸ばし部材８を備えている。先端が細くなったフィン状のリブ８０は、周方向において複数箇所で分割されることで、各方向への撓みやすさが高められている。
【００４６】
【発明の効果】
以上のように本発明においては、肌伸ばし部材のフロートによる肌との接触圧制御と、肌伸ばし部材の肌との接触部が可撓性のある弾性部で形成されていることとによって、肌の凹凸に影響されることなく肌伸ばし部材の肌との確実な接触を得ることができるものであり、肌伸ばし部材を設けたことによる高い効率の髭剃りを確実に得ることができるものである。しかもフロート自在な刃ヘッドに肌伸ばし部材を取り付けて刃ヘッドと共に肌伸ばし部材がフロートするために、刃ヘッドと肌伸ばし部材との位置関係を保ちやすく、フロート自在な刃ヘッドを設けたことによる利点を損なうことなく肌伸ばし部材の上記利点を得ることができる。
【００４９】
この時、肌伸ばし部材をフロート自在な刃ヘッドに固定していても、フロート自在な刃ヘッドに対して更にフロート自在に取りつけていてもよい。前者の場合、肌伸ばし部材独自のフロート構造が不要となって肌伸ばし部材関連の部品数を少なくすることができ、後者の場合には刃ヘッドに対する肌伸ばし部材の特性を生かしつつ刃ヘッドをフロートさせることができるものとなる。
【００５０】
いずれにしても、刃ヘッドのフロート力よりも小なるフロート力で肌伸ばし部材がフロートするものとしておくと、肌伸ばし部材が確実に肌に密着するものとなる上に、肌当たりを良くすることができる。
【００５１】
そして、肌伸ばし部材を刃ヘッドに取り付ける場合、刃ヘッドの構成部材に一体に設けたフロートばねで付勢すれば、部品数の削減を図ることができる。
【図面の簡単な説明】
【図１】  本発明の実施の形態の一例の部分縦断面図である。
【図２】  同上の縦断面図である。
【図３】  同上の刃ヘッド部分及び肌伸ばし部材の分解斜視図である。
【図４】  同上の外カセット及び外刃フレームの分解斜視図である。
【図５】  同上の駆動子及び内刃の分解斜視図である。
【図６】  同上の外カセットに刃ヘッド及び肌伸ばし部材を装着した状態の破断正面図である。
【図７】  同上のフロート時の状態を示す部分縦断面図である。
【図８】  同上のフロートばねの他例を示す部分縦断面図である。
【図９】  同上の別の例を示す破断正面図である。
【図１０】  同上の別の例を示す破断正面図である。
【図１１】  同上の更に他例を示す部分縦断面図である。
【図１２】  同上の破断正面図である。
【図１３】  同上の別の例の部分縦断面図である。
【図１４】  同上の更に別の例の部分縦断面図である。
【図１５】  同上の更に別の例の部分縦断面図である。
【図１６】  同上の他の例を示す部分縦断面図である。
【図１７】  肌伸ばし部材のリブの一例を示す断面図である。
【図１８】  同上の他例を示す断面図である。
【図１９】  同上の更に他例を示す断面図である。
【図２０】  同上の別の例を示す断面図である。
【図２１】  同上の更に別の例を示す断面図である。
【図２２】  同上の異なる例を示す断面図である。
【図２３】  同上の別の例を示す断面図である。
【図２４】  同上の更に別の例を示す断面図である。
【図２５】  肌伸ばし部材の別の実施例を示す断面図である。
【図２６】  二重フロートばねを有する場合のばね特性を示す説明図である。
【図２７】  肌伸ばし部材のリブの傾斜角度と肌を伸ばす力と肌当たりとの相関を示す説明図である。
【図２８】  別の実施の形態の一例の平面図である。
【図２９】  同上の縦断面図である。
【符号の説明】
１  刃ヘッド
８  肌伸ばし部材
８０  リブ
８９  フロートばね
【図１】
0003721629.tif 000002
【図２】
0003721629.tif 000003
【図３】
0003721629.tif 000004
【図４】
0003721629.tif 000005
【図５】
0003721629.tif 000006
【図６】
0003721629.tif 000007
【図７】
0003721629.tif 000008
【図８】
0003721629.tif 000009
【図９】
0003721629.tif 000010
【図１０】
0003721629.tif 000011
【図１１】
0003721629.tif 000012
【図１２】
0003721629.tif 000013
【図１３】
0003721629.tif 000014
【図１４】
0003721629.tif 000015
【図１５】
0003721629.tif 000016
【図１６】
0003721629.tif 000017
【図１７】
0003721629.tif 000018
【図１８】
0003721629.tif 000019
【図１９】
0003721629.tif 000020
【図２０】
0003721629.tif 000021
【図２１】
0003721629.tif 000022
【図２２】
0003721629.tif 000023
【図２３】
0003721629.tif 000024
【図２４】
0003721629.tif 000025
【図２５】
0003721629.tif 000026
【図２６】
0003721629.tif 000027
【図２７】
0003721629.tif 000028
【図２８】
0003721629.tif 000029
【図２９】
0003721629.tif 000030